(57)【要約】      （修正有）【課題】ゴミ箱の底板に穴を設けることなくポリ袋の取り出しが容易にできる仕切り板を備えるゴミ箱を提供する。【解決手段】ゴミ箱４０の内部空間を上部が開口したゴミ収納部４４および通気部４６の２つの空間に区画し、ゴミ収納部４４と通気部４６に通じる通気孔１８を備えた仕切り板１０をゴミ箱４０の内側に装着する。通気部４６と仕切り板１０に設けられた通気孔１８は、ゴミ収納部４４の下部に外気を供給する空気経路として機能する。【選択図】図３
0003171774.tif 000002
【実用新案登録請求の範囲】
【請求項１】
ゴミ箱の内部空間を上部が開口したゴミ収納部および通気部の２つの空間に区画する仕切り板であって、
前記ゴミ箱の底板寄りの位置に前記ゴミ収納部と前記通気部に開口する通気孔を備えたことを特徴とする、仕切り板。
【請求項２】
前記通気孔が形成された仕切り部と、前記仕切り部の両側方にそれぞれ連続する折り返し部で構成され、前記２つの折り返し部のうち一方の折り返し部に雄型の係合部を備え、他方の折り返し部に前記雄型の係合部と係合する雌型の係合部を備えたことを特徴とする、請求項１に記載の仕切り板。
【請求項３】
請求項１に記載の仕切り板を備えたことを特徴とする、ゴミ箱。
【考案の詳細な説明】
【技術分野】
【０００１】
本考案は、家庭用のゴミ箱の利便性の向上に関する。
【背景技術】
【０００２】
一般家庭において比較的大型の４５Ｌ程度のゴミ箱を使用する際には、ゴミ箱に直にゴミを捨てるようなことはあまりなく、ゴミ箱の内側に地方公共団体等が指定するポリ袋などを装填し、その中にゴミを捨てるようにしていることが多い（特許文献１参照）。ゴミで一杯になったポリ袋は、ゴミ箱から取り出し、指定のゴミ収集場に廃棄するだけでよいため、ゴミ処理作業が楽であり、またゴミ箱を常に清潔な状態に保つことができる。しかし、ポリ袋がゴミで一杯になると、ポリ袋で封鎖されたゴミ箱の内部空間が負圧となり、ポリ袋の取り出しに大変な力が必要になるため、特に家事を負担することの多い主婦などはゴミ処理作業に難儀しているというのが実情である。
【先行技術文献】
【特許文献】
【０００３】
【特許文献１】特開２０１０−１８９１７７号公報
【考案の概要】
【考案が解決しようとする課題】
【０００４】
特許文献１に示されたゴミ箱の底板にはゴミ箱の内外に貫通する穴が設けられていることから、ゴミ箱の内部空間は大気圧と略同等の圧力に保たれるため、ポリ袋の取り出しは容易である。しかし、ゴミの中には油や残り汁などが付着したものも多いため、ポリ袋の裂け目などから漏れ出した場合、底に穴が設けてあると床面まで汚してしまうことになる。また穴からゴキブリやハエなどの害虫が侵入することも考えられる。
【０００５】
本考案は、このような問題点に鑑みてなされたものであり、ゴミ箱の底板に穴を設けることなくポリ袋の取り出しを容易にすることを目的としている。
【課題を解決するための手段】
【０００６】
本考案の仕切り板は、ゴミ箱の内部空間を上部が開口したゴミ収納部および通気部の２つの空間に区画し、前記ゴミ箱の底板寄りの位置に前記ゴミ収納部と前記通気部に通じる通気孔を備えている。
【０００７】
仕切り板によってゴミ箱の内部は２つの空間に区画され、そのうち一方の空間であるゴミ収納部にはポリ袋を装填し、他方の空間である通気部には何も装填せず、上部を開けたままにしておく。通気部と仕切り板に設けられた通気孔は、ゴミ収納部の下部に外気を供給する空気経路として機能する。これにより、ゴミで一杯になったポリ袋によって上部が塞がれたゴミ収納部の内部空間は、外気の供給により大気圧と略同等の圧力に保たれるため、ポリ袋はゴミ収納部から容易に取り出すことができる。
【０００８】
本考案の仕切り板は既存のゴミ箱に加工することなく装着することができるが、本考案はこの仕切り板を予め備えたゴミ箱として構成することもできる。
【０００９】
本考案の仕切り板は、前記通気孔が形成された仕切り部と、前記仕切り部の両側方にそれぞれ連続する折り返し部で構成し、前記２つの折り返し部のうち一方の折り返し部に雄型の係合部を備え、他方の折り返し部に前記雄型の係合部と係合する雌型の係合部を備えるように構成することができる。
【００１０】
仕切り部と２つの折り返し部の内側に形成される三角形の空間が緩衝空間として機能することにより、ゴミで一杯になったポリ袋によって仕切り部が圧迫されることがあっても過度な変形は極力抑制され、通気部には最低限の空気流路の確保ができるようになる。また、仕切り板は２つの折り返し部の接点となる三角形の頂点部分がゴミ箱の内壁面に接することになるため、ゴミ箱の断面が角形または円形の何れであっても装着が可能である。
【考案の効果】
【００１１】
本考案の仕切り板を装着したゴミ箱は、ゴミ箱の上部の開口からゴミ収納部に空気が供給されるため、ポリ袋の取り出しが容易である。また底板に穴を開けることを要さないため、ゴミ箱およびその周辺を清潔に保つことができる。
【図面の簡単な説明】
【００１２】
【図１】仕切り板を展開した状態を示す正面図
【図２】仕切り板を折り返した状態を示す平面図
【図３】仕切り板（後付け式）が装着されたゴミ箱の一部切り欠き斜視図
【図４】仕切り板（一体式）が装着されたゴミ箱の一部切り欠き斜視図
【考案を実施するための形態】
【００１３】
本考案の実施の形態について、図面を参照しながら説明する。仕切り板１０は、図１に示すように、略正方形のボール紙に所定の加工を施すことにより製造することができる。仕切り板１０は、縦方向に６本の折り目が設けられており、それぞれの折り目で簡単に折り返すことができるようになっている。中央寄りの２本の折り目１２の内側の領域は仕切り部１４であり、その外側に、仕切り部１４の裏面側に折り返される折り返し部１６が連続している。仕切り部１４の下端から概ね１／４の領域には表裏面に貫通する複数の通気孔１８が設けられている。
【００１４】
折り返し部１６は２本の折り目２０、２２によってさらに３つの領域２４、２６、２８に区画されている。このうち最も先端に位置する領域２８は他の領域２４、２６より幅狭である。一方の折り返し部１６の領域２８には雄型の係合部３０が設けられ、他方の折り返し部１６の領域２８には雌型の係合部３２が設けられている。
【００１５】
仕切り板１０は、図２に示すように、各折り目１２、２０、２２で折り返すことにより、幅を仕切り部１４の幅まで縮小するとともに、裏面側に仕切り部１４と２つの領域２４で囲まれた三角形の空間３４を形成する。２つの折り返し部は雄型の係合部３０と雌型の係合部３２が係合することにより軽く固定され、折り目２２の部分で互いに接触している。
【００１６】
仕切り板１０は、図３に示すように、２つの折り返し部１６の先端にある領域２８がゴミ箱４０の内壁面４２に接触するようにゴミ箱４０に装着する。ゴミ箱４０の内部空間は仕切り板１０の仕切り部１４によって横方向に２つの空間に区画される。このうち仕切り部１４の表面側の空間はゴミ収納部４４となり、裏面側の空間は通気部４６となる。
【００１７】
ゴミ収納部４４には上方の開口から地方公共団体等が指定するポリ袋を装填する。ゴミ収納部４４はポリ袋の内側に捨てられたゴミを一定量収納することができる。通気部４６にはポリ袋を装填せずに上部が開口されたままにしておく。
【００１８】
通気部４６と仕切り板１０に設けられた通気孔１８は、ゴミ収納部４４の下部に外気を供給する空気経路として機能する。これにより、ゴミで一杯になったポリ袋によって上部が塞がれたゴミ収納部４４の内部空間は、外気の供給により大気圧と略同等の圧力に保たれるため、ポリ袋はゴミ収納部４４から容易に取り出すことができる。
【００１９】
仕切り部１４の背面側に形成された三角形の空間３４は、仕切り部１４と内壁面４０との距離を確保するための緩衝空間として機能する。例えばポリ袋がゴミで一杯になった場合、もしくは大き目のゴミを捨てた場合などに仕切り部１４を通気部４６側に押し出すような力が加わることがあるが、空間３４の緩衝作用が働くことにより、仕切り部１４の過度な変形が抑制される。また空間３４が存在しなければ仕切り部１４が内壁面４０に押し付けられ、通気部４６が完全に潰されてしまうような場合でも、空間３４が潰れ代となることで最低限の空気流路が確保できるようになるため、ポリ袋の取り出しに大きな支障をきたすようなことはなくなる。
【００２０】
仕切り板１０は既存のゴミ箱４０に後付けで装着して使用するものであるが、ゴミ箱４０には何ら加工を施す必要はないため、装着は誰でも簡単に行うことができる。仕切り板１０は装着の対象となるゴミ箱４０の形状や大きさに合わせて大きさや形状を変更してもよいが、ゴミ箱４０の内部空間を完全に２つの空間に遮断することまでは要求されていないため、多少の大きさや形状の違いは許容できる汎用性を備えている。また仕切り板１０の材質についても特定のものに限定されるものではなく、例えばボール紙のような強度と剛性の比較的高い紙類や樹脂類などを適宜用いることができる。
【００２１】
図４に示すゴミ箱５０は、製造の段階から仕切り板５２が一体的に設けられたものである。仕切り板５２には仕切り板１０と同様の通気孔５４が設けられている。仕切り板５２が一体成型されたゴミ箱５０は、仕切り板５２が内壁面５６と連続しているため、後付け式の仕切り板１０に比べて仕切り板５２が変形しにくい。これにより、ゴミが満杯となった場合でもゴミ収納部５８および通気部６０の両空間とも元の形状が概ね維持されるので、仕切り板１０を後付け装着したゴミ箱４０に比べてポリ袋の取り出しが容易である。
【符号の説明】
【００２２】
１０、５２    仕切り板
１４          仕切り部
１６          折り返し部
１８、５４    通気孔
３０          雄型の係合部
３２          雌型の係合部
４０、５０    ゴミ箱
４４、５８    ゴミ収納部
４６、６０    通気部
【図１】
0003171774.tif 000003
【図２】
0003171774.tif 000004
【図３】
0003171774.tif 000005
【図４】
0003171774.tif 000006